(57)【要約】【課題】リセプタクルをプラグに容易に挿抜可能なＺＩＦコネクタを提供する。【解決手段】リセプタクル１０は、第１開口１ｋを有する第１ハウジング１と、第１開口１ｋを塞ぐ第１シャッター１１と、第１ハウジング１の内部で回動する一対のカムブロック１ａ・１ｂと、一対のカムブロック１ａ・１ｂに支持されるデュアルインライン形の第１コンタクト３・３と、これらの第１コンタクト３の接点３ｃを互いに開くタブコンタクト５と、を備える。プラグ２０は、ヘッダー部２ｈ及び第２開口２ｋを有する第２ハウジング２と、第２開口２ｋを塞ぐ第２シャッター２１と、ヘッダー部２ｈを間にして並列配置された第２コンタクト４と、を備える。一対のカムブロック１ａ・１ｂは、接点３ｃが第２コンタクト４に接触するように、一対の第１コンタクト３・３を閉じるカム片１ｃを有する。【選択図】図９
2011134660.tif 000002
【特許請求の範囲】
【請求項１】
リセプタクルとプラグとが互いに嵌合可能なＺＩＦコネクタであって、
前記リセプタクルは、
略矩形の第１開口を一方の面に有し、内部が空洞の第１ハウジングと、
この第１ハウジングの内部から前記第１開口を塞ぐ第１シャッターと、
前記第１ハウジングの内部に対向して配置し、両端部に突出する一対の軸が前記第１ハウジングの内壁と回動可能に連結する一対のカムブロックと、
中間部が前記カムブロックに固定され、先端部に接点を設けるベローズ形の第１コンタクトであって、これらの接点が対向するように一対に並列配置された複数の第１コンタクトと、
固定端部が前記第１ハウジングの内壁に固定され、自由端部が前記第１コンタクトの基端部に接触すると共に、前記第１コンタクトの一対の前記接点を互いに開く方向に力を付勢する複数のタブコンタクトと、
前記第１ハウジングの内部に対向するように配置され、前記第１ハウジングの他方の面から一方の面に向けて突出して前記第１シャッターを案内する一対のピンと、
これらのピンを内装し、前記第１開口に向けて前記第１シャッターを付勢する一対の第１付勢部材と、を備え、
前記プラグは、
一方の面の中央部に立設して前記第１開口に挿入可能な平板状のヘッダー部、このヘッダー部を囲うフレーム部、及び前記ヘッダー部と前記フレーム部との間に開口された第２開口であって、前記第１ハウジングを挿入可能な第２開口を有する第２ハウジングと、
前記ピンが挿入可能な一対の穴を両翼に有し、前記第２ハウジングの内部から前記第２開口を塞ぐ第２シャッターと、
一端部と他端部がＬ字状に屈曲され、前記ヘッダー部を間にして前記一端部が相反する向きに一対に並列配置された複数の第２コンタクトと、
前記第２開口に向けて前記第２シャッターを付勢する一対の第２付勢部材と、を備え、
前記カムブロックは、前記ヘッダー部に押されて移動する前記第１シャッターが係合して、一対の前記接点が前記第２コンタクトの一端部に接触するように、一対の当該第１コンタクトを閉じるカム片を有するＺＩＦコネクタ。
【請求項２】
前記第１ハウジングは、前記第１シャッターの外縁に当接して防水する枠状の第１シール部材を内部に有し、
前記第２ハウジングは、前記第２シャッターの外縁に当接して防水する枠状の第２シール部材と、前記ヘッダー部を逃げる第３開口の内縁に当接して防水する枠状の第３シール部材と、を内部に有する請求項１記載のＺＩＦコネクタ。
【請求項３】
複数の前記第１コンタクトは、
前記カムブロックの中央部に配置される横幅の狭い複数の第１信号コンタクトと、
これらの第１信号コンタクトの両翼に配置される横幅の広い一対の第１電源コンタクトと、を含み、
複数の前記第２コンタクトは、前記第１信号コンタクトに接続する横幅の狭い複数の第２信号コンタクトと、前記第１電源コンタクトに接続する横幅の広い第２電源コンタクトと、を含み、
複数の前記タブコンタクトは、前記第１ハウジングの中央部に配置される横幅の狭い複数の第３信号コンタクトと、これらの第３信号コンタクトの両翼に配置される横幅の広い一対の第３電源コンタクトと、を含んでいる請求項１又は２記載のＺＩＦコネクタ。
【請求項４】
前記リセプタクルは、一方のプリント基板に表面実装され、前記プラグは、他方のプリント基板に表面実装される請求項１から３のいずれかに記載のＺＩＦコネクタ。
【発明の詳細な説明】
【技術分野】
【０００１】
本発明は、ＺＩＦコネクタに関する。特に、コネクタを挿抜するときの力を殆んど零にするＺＩＦ（Ｚｅｒｏ  Ｉｎｓｅｒｔｉｏｎ  Ｆｏｒｃｅ）コネクタの構造に関する。
【背景技術】
【０００２】
例えば、コンタクトが２列に配置されたデュアルインライン（ｄｕａｌ  ｉｎ−ｌｉｎｅ）形コネクタにエッジコネクタを有するプリント基板を容易に挿抜するために、デュアルインライン形コネクタには、対向する一対のコンタクトの接点を開閉する接点開閉機構が設けられている。
【０００３】
又、デュアルインライン形の多極のリセプタクル（コネクタ）にプラグ（コネクタ）を容易に挿抜するために、リセプタクルに接点開閉機構を設ける場合もある。
【０００４】
このような接点開閉機構には、対向する一対のコンタクトの接点が通常は開いているノーマルオープン型と、対向する一対のコンタクトの接点が通常は閉じているノーマルクローズ型の２通りがある。
【０００５】
対向する一対のコンタクトの外側に配置された一組の偏心カムを回動して、これらのコンタクトの接点を互いに閉じるノーマルオープン型の接点開閉機構、及び、対向する一対のコンタクトの中央（内側）に配置された円板カムを回動して、これらのコンタクトの接点を互いに開くノーマルクローズ型の接点開閉機構が開示されている（例えば、特許文献１参照）。
【先行技術文献】
【特許文献】
【０００６】
【特許文献１】特開２００２−３４３５１０号公報
【発明の概要】
【発明が解決しようとする課題】
【０００７】
上述した接点開閉機構を有するコネクタ、すなわち、ＺＩＦコネクタは、カムを回動するために、コネクタのハウジングから突出する開閉レバーを設けている。そして、開閉レバーを操作することより、対向する一対のコンタクトの接点を開閉するように、ＺＩＦコネクタを構成している。
【０００８】
しかし、一方のプリント基板に表面実装されたリセプタクルと他方のプリント基板に表面実装されたプラグとが接続し、かつ、これらのプリント基板の面が対向するコネクタ、いわゆる、ボード・トゥー・ボード・コネクタ（Ｂｏａｒｄ  ｔｏ  Ｂｏａｒｄ  Ｃｏｎｎｅｃｔｏｒ）では、開閉レバーを操作することが困難であるという問題がある。
【０００９】
又、これらのリセプタクル又はプラグが取り付けられる電気・電子機器には、屋外で使用される携帯機器もあり、これらのリセプタクル及びプラグは、雨水などの浸入を防止する防水構造が求められている。しかし、開閉レバーをハウジングの外部に突出することによって、防水を困難としているという問題もある。
【００１０】
開閉レバーを設けることなく、一方のコネクタを他方のコネクタに容易に挿抜可能なＺＩＦコネクタが実現できれば、開閉レバーを操作する必要がなくなり、便利である。又、開閉レバーを設けることなく、一方のコネクタを他方のコネクタに容易に挿抜可能なＺＩＦコネクタが実現できれば、ＺＩＦコネクタを防水できる。そして、以上のことが本発明の課題といってよい。
【００１１】
本発明は、このような課題に鑑みてなされたものであり、開閉レバーを操作することなく、一方のコネクタを他方のコネクタに容易に挿抜可能なＺＩＦコネクタであって、防水構造のＺＩＦコネクタを提供することを目的とする。
【課題を解決するための手段】
【００１２】
本発明者らは、ノーマルオープン型の接点開閉機構を有するリセプタクルと、ヘッダー部を有するプラグとでＺＩＦコネクタを構成し、リセプタクルに設けた凹部にヘッダー部を挿入すると、一対の接点が閉じるようにメカニズムを創案し、かつ、リセプタクルの凹部及びプラグの開口にそれぞれ防水シャッターを配置することにより、これらの課題が解決可能なことを見出し、これに基づいて、以下のような新たなＺＩＦコネクタを発明するに至った。
【００１３】
（１）  リセプタクルとプラグとが互いに嵌合可能なＺＩＦコネクタであって、前記リセプタクルは、略矩形の第１開口を一方の面に有し、内部が空洞の第１ハウジングと、この第１ハウジングの内部から前記第１開口を塞ぐ第１シャッターと、前記第１ハウジングの内部に対向して配置し、両端部に突出する一対の軸が前記第１ハウジングの内壁と回動可能に連結する一対のカムブロックと、中間部が前記カムブロックに固定され、先端部に接点を設ける複数のベローズ形の第１コンタクトであって、これらの接点が対向するように一対に並列配置された複数の第１コンタクトと、固定端部が前記第１ハウジングの内壁に固定され、自由端部が前記第１コンタクトの基端部に接触すると共に、一対の前記接点が互いに開く方向に力を付勢する複数のタブコンタクトと、前記第１ハウジングの内部に対向するように配置され、前記第１ハウジングの他方の面から一方の面に向けて突出して前記第１シャッターを案内する一対のピンと、これらのピンを内装し、前記第１開口に向けて前記第１シャッターを付勢する一対の第１付勢部材と、を備え、前記プラグは、一方の面の中央部に立設して前記第１開口に挿入可能な平板状のヘッダー部、このヘッダー部を囲うフレーム部、及び前記ヘッダー部と前記フレーム部との間に開口された第２開口であって、前記第１ハウジングを挿入可能な第２開口を有する第２ハウジングと、前記ピンが挿入可能な一対の穴を有し、前記第２ハウジングの内部から前記第２開口を塞ぐ第２シャッターと、一端部と他端部がＬ字状に屈曲され、前記ヘッダー部を間にして前記一端部が相反する向きに一対に並列配置された複数の第２コンタクトと、前記第２開口に向けて前記第２シャッターを付勢する一対の第２付勢部材と、を備え、前記カムブロックは、前記ヘッダー部に押されて移動する前記第１シャッターが係合して、一対の前記接点が前記第２コンタクトの一端部に接触するように、一対の当該第１コンタクトを閉じるカム片を有するＺＩＦコネクタ。
【００１４】
（１）の発明によるＺＩＦコネクタは、リセプタクルとプラグとが互いに嵌合可能である。そして、リセプタクルは、内部が空洞の第１ハウジング、第１シャッター、及び一対のカムブロックを備えている。
【００１５】
第１ハウジングは、略矩形の第１開口を一方の面に有している。第１シャッターは、第１ハウジングの内部から第１開口を塞いでいる。一対のカムブロックは、第１ハウジングの内部に対向して配置している。又、カムブロックは、両端部に突出する一対の軸が第１ハウジングの内壁と回動可能に連結している。
【００１６】
又、リセプタクルは、複数のベローズ形の第１コンタクト、複数のタブコンタクト、一対のピン、及び一対の第１付勢部材を備えている。第１コンタクトは、中間部がカムブロックに固定され、先端部に接点を設けている。そして、複数の第１コンタクトは、それらの接点が対向するように、一対に並列配置されている。
【００１７】
タブコンタクトは、固定端部が第１ハウジングの内壁に固定され、自由端部が第１コンタクトの基端部に接触している。そして、これらのタブコンタクトの自由端部は、第１コンタクトの一対の接点を互いに開く方向に力を付勢している。
【００１８】
一対のピンは、第１ハウジングの内部に対向するように配置されている。又、これらのピンは、第１ハウジングの他方の面から一方の面に向けて突出している。そして、これらのピンは、第１シャッターを案内できる。一対の第１付勢部材は、これらのピンをそれぞれ内装している。そして、一対の第１付勢部材は、第１開口に向けて第１シャッターを付勢している。
【００１９】
一方、プラグは、第２ハウジングと第２シャッターを備えている。第２ハウジングは、平板状のヘッダー部、フレーム部、及び第２開口を有している。ヘッダー部は、第２ハウジングの一方の面の中央部に立設している。そして、ヘッダー部は、第１開口に挿入できる。フレーム部は、ヘッダー部を囲っている。第２開口は、ヘッダー部とフレーム部との間に開口されている。そして、第２開口には、第１ハウジングを挿入できる。
【００２０】
第２シャッターは、一対のピンが挿入可能な一対の穴を両翼に有している。又、第２シャッターは、第２ハウジングの内部から第２開口を塞いでいる。
【００２１】
又、プラグは、複数の第２コンタクトと一対の第２付勢部材を備えている。第２コンタクトは、一端部と他端部がＬ字状に屈曲されている。そして、これらの第２コンタクトは、ヘッダー部を間にして、一端部が相反する向きに一対に並列配置されている。一対の第２付勢部材は、第２開口に向けて第２シャッターを付勢している。
【００２２】
カムブロックは、カム片を有している。カム片は、ヘッダー部に押されて移動する第１シャッターが係合して、一対の接点が第２コンタクトの一端部に接触するように、一対の第１コンタクトを閉じることができる。
【００２３】
ここで、ハウジングは、絶縁性を有している。絶縁性のハウジングとは、非導電性の材料からなるハウジングのことであってよく、合成樹脂を成形して、所望の形状の絶縁性のハウジングを得ることができる。
【００２４】
ハウジングは、角形であってよく、角形のハウジングとは、この発明によるリセプタクル及びプラグが互いに矩形の結合面を有する角形コネクタであることを意味している。そして、この発明によるリセプタクル及びプラグは、互いに嵌合可能な第１開口及び第２開口を有している。
【００２５】
カムブロックは、絶縁性の合成樹脂からなり、複数の第１コンタクトの中間部を固定している。複数の第１コンタクトは、圧入によりカムブロックに固定されてもよく、複数の第１コンタクトをカムブロックと一体成形することにより、これらの第１コンタクトをカムブロックに固定してもよい。
【００２６】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００２７】
複数の第１コンタクトは、それらの接点が対向するように一対に並列配置されているとは、この発明によるリセプタクルがデュアルインライン形のコネクタであることを意味している。デュアルインライン形のコネクタは、コンタクトを二列に配置している。又、並列配置とは、互いに近接させて一列に配置することを意味している。
【００２８】
プラグがリセプタクルに挿入されない状態では、タブコンタクトに付勢されて、対向する一対の第１コンタクトの接点が開いている。つまり、この発明によるリセプタクルは、ノーマルオープン型の接点開閉機構を有している。
【００２９】
プラグをリセプタクルに挿入すると、ヘッダー部に押されて、第１シャッターが第１ハウジングの内部を移動する。第１シャッターがカム片に係合して、更に、プラグをリセプタクルに挿入すると、一対のカムブロックは、対向する一対の接点が互いに閉じる方向に回動する。そして、一対の接点が第２コンタクトの一端部に接触できる。
【００３０】
（１）の発明によるＺＩＦコネクタは、接点開閉機構を操作するための開閉レバーを設けることなく、プラグをリセプタクルに挿抜するだけで、接点開閉機構を動作することができる。（１）の発明によるＺＩＦコネクタは、リセプタクルに開閉レバーを設けることなく、プラグをリセプタクルに容易に挿抜できるので、便利である。
【００３１】
又、（１）の発明によるＺＩＦコネクタは、開閉レバーがハウジングの外部に突出していないので、防水を容易にしている。（１）の発明によるＺＩＦコネクタは、屋外で使用される電気・電子機器に好適に使用することができる。
【００３２】
（２）  前記第１ハウジングは、前記第１シャッターの外縁に当接して防水する枠状の第１シール部材を内部に有し、前記第２ハウジングは、前記第２シャッターの外縁に当接して防水する枠状の第２シール部材と、前記ヘッダー部を逃げる第３開口の内縁に当接して防水する枠状の第３シール部材と、を内部に有する（１）記載のＺＩＦコネクタ。
【００３３】
（３）  複数の前記第１コンタクトは、前記カムブロックの中央部に配置される横幅の狭い複数の第１信号コンタクトと、これらの第１信号コンタクトの両翼に配置される横幅の広い一対の第１電源コンタクトと、を含み、複数の前記第２コンタクトは、前記第１信号コンタクトに接続する横幅の狭い複数の第２信号コンタクトと、前記第１電源コンタクトに接続する横幅の広い第２電源コンタクトと、を含み、複数の前記タブコンタクトは、前記第１ハウジングの中央部に配置される横幅の狭い複数の第３信号コンタクトと、これらの第３信号コンタクトの両翼に配置される横幅の広い一対の第３電源コンタクトと、を含んでいる（１）又は（２）記載のＺＩＦコネクタ。
【００３４】
（４）  前記リセプタクルは、一方のプリント基板に表面実装され、前記プラグは、他方のプリント基板に表面実装される（１）から（３）のいずれかに記載のＺＩＦコネクタ。
【発明の効果】
【００３５】
本発明によるＺＩＦコネクタは、開閉レバーを設けることなく、リセプタクルをプラグに容易に挿抜できる。本発明によるＺＩＦコネクタは、開閉レバーを操作する必要がなくなり、便利である。又、本発明によるＺＩＦコネクタは、開閉レバーがハウジングの外部に突出していないので、防水を容易にしている。
【図面の簡単な説明】
【００３６】
【図１】本発明の一実施形態によるＺＩＦコネクタの構成を示す斜視図であり、リセプタクルとプラグを対向配置した状態図である。
【図２】前記実施形態によるリセプタクルの構成を示す斜視分解組立図である。
【図３】前記実施形態によるリセプタクルの構成を示す図であり、図３（Ａ）はリセプタクルの平面図、図３（Ｂ）はリセプタクルの正面図、図３（Ｃ）はリセプタクルの下面図、図３（Ｄ）はリセプタクルの右側面図である。
【図４】前記実施形態によるプラグの構成を示す斜視分解組立図である。
【図５】前記実施形態によるプラグの構成を示す図であり、図５（Ａ）はプラグの平面図、図５（Ｂ）はプラグの正面図、図５（Ｃ）はプラグの下面図、図５（Ｄ）はプラグの右側面図である。
【図６】前記実施形態によるＺＩＦコネクタの構成を示す斜視断面図であり、リセプタクルをプラグに挿入する前の状態図である。
【図７】前記実施形態によるＺＩＦコネクタの構成を示す斜視断面図であり、リセプタクルをプラグに挿入する直前の状態図である。
【図８】前記実施形態によるＺＩＦコネクタの構成を示す斜視断面図であり、リセプタクルをプラグに挿入する途上の状態図である。
【図９】前記実施形態によるＺＩＦコネクタの構成を示す縦断面図であり、リセプタクルをプラグに挿入する前の状態図である。
【図１０】前記実施形態によるＺＩＦコネクタの構成を示す縦断面図であり、リセプタクルをプラグに挿入する途上の状態図である。
【図１１】前記実施形態によるＺＩＦコネクタの構成を示す縦断面図であり、リセプタクルをプラグに完全に挿入した状態図である。
【発明を実施するための形態】
【００３７】
以下、図面を参照して本発明を実施するための形態を説明する。
【００３８】
［ＺＩＦコネクタの構成］
最初に、本発明の一実施形態によるＺＩＦコネクタの構成を説明する。図１は、本発明の一実施形態によるＺＩＦコネクタの構成を示す斜視図であり、リセプタクルとプラグを対向配置した状態図である。
【００３９】
図２は、前記実施形態によるリセプタクルの構成を示す斜視分解組立図である。図３は、前記実施形態によるリセプタクルの構成を示す図であり、図３（Ａ）はリセプタクルの平面図、図３（Ｂ）はリセプタクルの正面図、図３（Ｃ）はリセプタクルの下面図、図３（Ｄ）はリセプタクルの右側面図である。
【００４０】
図４は、前記実施形態によるプラグの構成を示す斜視分解組立図である。図５は、前記実施形態によるプラグの構成を示す図であり、図５（Ａ）はプラグの平面図、図５（Ｂ）はプラグの正面図、図５（Ｃ）はプラグの下面図、図５（Ｄ）はプラグの右側面図である。
【００４１】
図１を参照すると、本発明の一実施形態によるＺＩＦコネクタ（以下、コネクタと略称する）１００は、リセプタクル１０とプラグ２０を互いに嵌合できる。リセプタクル１０は、一方のプリント基板１ｐに表面実装されている。プラグ２０は、他方のプリント基板２ｐに表面実装されている。実施形態によるコネクタ１００は、これらのプリント基板１ｐ・２ｐの面が対向する、ボード・トゥー・ボード・コネクタを実現している。
【００４２】
（リセプタクルの構成）
次に、本発明の実施形態によるリセプタクル１０の構成を説明する。図１から図３を参照すると、リセプタクル１０は、外形が略直方体であって、内部が空洞の第１ハウジング１を備えている。第１ハウジング１は、略矩形の第１開口１ｋを一方の面に有している。第１開口１ｋは、第１ハウジング１の内部に連通すると共に、第１ハウジング１の他方の面（底面）に設けた開口に対向している。
【００４３】
又、リセプタクル１０は、帯板状の第１シャッター１１を備えている。第１シャッター１１は、第１ハウジング１の内部から第１開口１ｋを塞いでいる。第１シャッター１１の長手方向の両翼には、一対のガイド穴１１ｈ・１１ｈを設けている。又、第１シャッター１１は、電磁遮蔽するシールド板１１ａを内装している。
【００４４】
図２及び図３を参照すると、リセプタクル１０は、一対のカムブロック１ａ・１ｂを備えている。一対のカムブロック１ａ・１ｂは、第１ハウジング１の内部に対向して配置している。これらのカムブロック１ａ・１ｂは、両端部に突出する円柱状の一対の軸１１ｓ・１１ｓをそれぞれ有している。これらの軸１１ｓ・１１ｓは、第１ハウジング１の内壁と回動可能に連結している。
【００４５】
又、一対のカムブロック１ａ・１ｂは、一方の面に段差状に突出するカム片１ｃを有している。なお、カムブロック１ａとカムブロック１ｂとは、同じものであるが、説明の便宜上、符号を変えて区別した。
【００４６】
リセプタクル１０は、複数のベローズ形の第１コンタクト３を備えている。これらの第１コンタクト３の中間部は、カムブロック１ａ・１ｂに一体成形で固定されている。これらの第１コンタクト３の先端部には、接点３ｃを設けている。複数の第１コンタクト３は、それらの接点３ｃが対向するように一対に並列配置されている。
【００４７】
複数の第１コンタクト３は、複数の第１信号コンタクト３１と一対の第１電源コンタクト３２・３２を含んでいる。複数の第１信号コンタクト３１は、それらの横幅が狭くなっており、カムブロック１ａ・１ｂの中央部に配置されている。一対の第１電源コンタクト３２・３２は、それらの横幅が広くなっており、複数の第１信号コンタクト３１の両翼に配置されている。
【００４８】
又、リセプタクル１０は、対向するように群分けされた複数のＵ字状のタブコンタクト５を備えている。タブコンタクト５は、Ｕ字状に反転する一片５ａの固定端部が圧入により、第１ハウジング１の内壁に固定されている。又、一片５ａの自由端部は、第１コンタクト３の基端部に接触すると共に、一対の接点３ｃ・３ｃを互いに開く方向に力を付勢している。更に、タブコンタクト５の他片５ｂは、第１ハウジング１の底面に延出して、プリント基板１ｐにハンダ接合できる（図１参照）。
【００４９】
複数のタブコンタクト５は、複数の第３信号コンタクト５１と一対の第３電源コンタクト５２・５２を含んでいる。複数の第３信号コンタクト５１は、それらの横幅が狭くなっており、第１ハウジング１の中央部に配置されている。一対の第３電源コンタクト５２・５２は、それらの横幅が広くなっており、複数の第３信号コンタクト５１の両翼に配置されている。
【００５０】
なお、複数の第３信号コンタクト５１は、複数の第１信号コンタクト３１と対応するように、一対一に配置されている。又、一対の第３電源コンタクト５２・５２は、一対の第１電源コンタクト３２・３２と対応するように、一対一に配置されている。
【００５１】
図２及び図３を参照すると、リセプタクル１０は、一対の補強タブ７ａ・７ｂを備えている。これらの補強タブ７ａ・７ｂは、展開された導電性の金属板が折り曲げ成形されている。そして、これらの補強タブ７ａ・７ｂは、略直角に屈折された縦片７１と横片７２を有している。なお、補強タブ７ａと補強タブ７ｂとは、同じものであるが、説明の便宜上、符号を変えて区別した。
【００５２】
縦片７１は、第１ハウジング１の両翼の内壁に圧入されている。縦片７１は、その一部が突出して、対向する一対の軸１１ｓ・１１ｓを支持する一対の支持片７３・７３を有している。一対の支持片７３・７３は、一対の軸１１ｓ・１１ｓを回動自在に支持すべく、先端部が円弧状に形成されている。横片７２は、第１ハウジング１の底面に延出して、プリント基板１ｐにハンダ接合できる。
【００５３】
又、一対の補強タブ７ａ・７ｂは、横片７２から突出して、縦片７１と略平行に延びるピン７ｐをそれぞれ有している。そして、一対のピン７ｐ・７ｐは、第１ハウジング１の内部に対向するように配置されている。
【００５４】
一対のピン７ｐ・７ｐは、第１シャッター１１の両翼に設けた一対のガイド穴１１ｈ・１１ｈに嵌合している。第１シャッター１１は、一対のピン７ｐ・７ｐに案内されて、第１ハウジング１の内部を移動することができる。一対のピン７ｐ・７ｐは、それらの先端部が第１ハウジング１の一方の面（表面）から僅かに突出している。
【００５５】
リセプタクル１０は、一対の第１付勢部材となる圧縮コイルばね７ｓ・７ｓを備えている。これらの圧縮コイルばね７ｓ・７ｓは、一対のピン７ｐ・７ｐをそれぞれ内装している。これらの圧縮コイルばね７ｓ・７ｓの一方の端末は、第１シャッター１１の両翼に当接している。又、これらの圧縮コイルばね７ｓ・７ｓの他方の端末は、一対の横片７２・７２に当接している。したがって、これらの圧縮コイルばね７ｓ・７ｓは、第１開口１ｋに向けて、第１シャッター１１を付勢することができる。
【００５６】
又、第１ハウジング１は、枠状の第１シール部材９１を内部に有している。第１シール部材９１は、第１開口１ｋの周囲を囲うように、第１ハウジング１の内壁に取り付けられている。そして、第１シール部材９１が第１シャッター１１の外縁に密着するように当接して、リセプタクル１０を防水できる。
【００５７】
（プラグの構成）
次に、本発明の実施形態によるプラグ２０の構成を説明する。図１又は図４及び図５を参照すると、プラグ２０は、外形が略直方体の第２ハウジング２を備えている。第２ハウジング２は、平板状のヘッダー部２ｈ、フレーム部２ｆ、及び第２開口２ｋを有している。ヘッダー部２ｈは、第２ハウジング２の一方の面の中央部に立設している。そして、ヘッダー部２ｈは、第１開口１ｋに挿入できる。
【００５８】
フレーム部２ｆは、ヘッダー部２ｈを囲っている。第２開口２ｋは、ヘッダー部２ｈとフレーム部２ｆとの間に開口されている。第２開口２ｋは、第２ハウジング２の内部に連通すると共に、第２ハウジング２の他方の面（底面）に設けた開口に対向している。そして、第２開口２ｋには、第１ハウジング１を挿入できる。
【００５９】
又、プラグ２０は、帯板状の第２シャッター２１を備えている。第２シャッター２１は、第２ハウジング２の内部から第２開口２ｋを塞いでいる。第２シャッター２１は、一対の穴２１ｈ・２１ｈを両翼に有している。これらの穴２１ｈ・２１ｈには、一対のピン７ｐ・７ｐを挿入できる。
【００６０】
第２シャッター２１は、矩形の第３開口２３ｈを中央部に有している。第３開口２３ｈは、ヘッダー部２ｈに嵌合している。又、第２シャッター２１は、電磁遮蔽するシールド板２１ａを内装している。
【００６１】
プラグ２０は、対向するように群分けされた複数の帯板状の第２コンタクト４を備えている。第２コンタクト４は、一端部４ａと他端部４ｂがＬ字状に屈曲されている。又、第２コンタクト４は、他端部４ｂの基端部がＬ字状に屈曲されて、一端部４ａに対向する圧入片４ｃを有している。
【００６２】
第２コンタクト４の一端部４ａは、ヘッダー部２ｈの取り付け面に設けた溝２１ｄに圧入されている。そして、複数の第２コンタクト４は、ヘッダー部２ｈを間にして、一端部４ａが相反する向きに一対に並列配置されている。
【００６３】
又、第２コンタクト４の一端部４ａは、第２ハウジング２の内壁に底面から圧入されている。ヘッダー部２ｈは、複数の第２コンタクト４を介して、第２ハウジング２に支持されている。第２コンタクト４の他端部４ｂは、プリント基板２ｐにハンダ接合できる（図１参照）。
【００６４】
複数の第２コンタクト４は、複数の第２信号コンタクト４１と一対の第２電源コンタクト４２・４２を含んでいる。複数の第２信号コンタクト４１は、それらの横幅が狭くなっており、ヘッダー部２ｈの中央部に配置されている。一対の第２電源コンタクト４２・４２は、それらの横幅が広くなっており、複数の第２信号コンタクト４１の両翼に配置されている。
【００６５】
複数の第２信号コンタクト４１は、複数の第１信号コンタクト３１と対応するように、一対一に配置されている。又、一対の第２電源コンタクト４２・４２は、一対の第１電源コンタクト３２・３２と対応するように、一対一に配置されている。
【００６６】
図４及び図５を参照すると、プラグ２０は、一対の補強タブ６ａ・６ｂを備えている。これらの補強タブ６ａ・６ｂは、展開された導電性の金属板が折り曲げ成形されている。そして、これらの補強タブ６ａ・６ｂは、略直角に屈折された縦片６１と横片６２を有している。なお、補強タブ６ａと補強タブ６ｂとは、同じものであるが、説明の便宜上、符号を変えて区別した。
【００６７】
縦片６１は、第２ハウジング２の両翼の内壁に圧入されている。縦片６１の中央部には、ピン６ｐが横片６２から突出している。ピン６ｐは、縦片６１と略平行に延びている。そして、ピン６ｐには、圧縮コイルばね６ｓが介装されている。つまり、プラグ２０は、一対の第２付勢部材となる圧縮コイルばね６ｓ・６ｓを備えている。
【００６８】
これらの圧縮コイルばね６ｓ・６ｓの一方の端末は、第２シャッター２１の両翼に当接している。又、これらの圧縮コイルばね６ｓ・６ｓの他方の端末は、一対の横片６２・６２に当接している。したがって、これらの圧縮コイルばね６ｓ・６ｓは、第２開口２ｋに向けて、第２シャッター２１を付勢している。
【００６９】
一対の横片６２・６２の先端部は、第２ハウジング２の内部の中央部に延出して、ヘッダー部２ｈの両翼に圧入されている。つまり、ヘッダー部２ｈは、一対の横片６２・６２を介して、第２ハウジング２に支持されている。又、一対の補強タブ６ａ・６ｂは、それらの横片６２・６２と反対側に延びて、プリント基板２ｐにハンダ接合可能な一対の支持片６３・６３を有している。
【００７０】
又、第２ハウジング２は、枠状の第２シール部材８２と枠状の第３シール部材８３を内部に有している。第２シール部材８２は、第２開口２ｋの周囲を囲うように、第２ハウジング２の内壁に取り付けられている。そして、第２シール部材８２が第２シャッター２１の外縁に密着するように当接して、プラグ２０を防水できる。
【００７１】
一方、第３シール部材８３は、ヘッダー部２ｈの頂き部２０ｈの周囲を囲うように、ヘッダー部２ｈの外壁に取り付けられている。そして、第３シール部材８３がヘッダー部２ｈを逃げる第３開口２３ｈの内縁に当接して、プラグ２０を防水できる。
【００７２】
［ＺＩＦコネクタの作用］
次に、実施形態によるＺＩＦコネクタ１００の構成を補足しながら、ＺＩＦコネクタ１００の動作及び作用を説明する。
【００７３】
図６は、前記実施形態によるＺＩＦコネクタの構成を示す斜視断面図であり、リセプタクルをプラグに挿入する前の状態図である。図７は、前記実施形態によるＺＩＦコネクタの構成を示す斜視断面図であり、リセプタクルをプラグに挿入する直前の状態図である。図８は、前記実施形態によるＺＩＦコネクタの構成を示す斜視断面図であり、リセプタクルをプラグに挿入する途上の状態図である。
【００７４】
図９は、前記実施形態によるＺＩＦコネクタの構成を示す縦断面図であり、リセプタクルをプラグに挿入する前の状態図である。図１０は、前記実施形態によるＺＩＦコネクタの構成を示す縦断面図であり、リセプタクルをプラグに挿入する途上の状態図である。図１１は、前記実施形態によるＺＩＦコネクタの構成を示す縦断面図であり、リセプタクルをプラグに完全に挿入した状態図である。
【００７５】
始めに、図２及び図６又は図９を参照して、リセプタクル１０の組立手順を説明する。最初に、接着剤などを用いて、第１シール部材９１を第１ハウジング１の内壁に取り付けておく。次に、第１シャッター１１及び一対のカムブロック１ａ・１ｂを第１ハウジング１の内部に仮挿入する。なお、一対のカムブロック１ａ・１ｂには、複数の第１コンタクト３が予め一体成形されている。
【００７６】
次に、圧縮コイルばね７ｓをピン７ｐに介装した状態で、一対の補強タブ７ａ・７ｂを第１ハウジング１の底面から圧入する。そして、図９に示されるように、第１開口１ｋに向けて、一対の圧縮コイルばね７ｓ・７ｓが第１シャッター１１に力を付勢できる。又、一対のカムブロック１ａ・１ｂは、それらの軸１１ｓ・１１ｓが第１ハウジング１の内部で回動自在に支持される。
【００７７】
次に、複数のタブコンタクト５の一片５ａの固定端部が第１ハウジング１の底面から圧入される。そして、複数のタブコンタクト５の一片５ａの自由端部が第１コンタクト３の基端部に当接して、対向する一対の接点３ｃ・３ｃを互いに開く状態が維持される。
【００７８】
次に、図４及び図６又は図９を参照して、プラグ２０の組立手順を説明する。最初に、接着剤などを用いて、第２シール部材８２及び第３シール部材８３を第２ハウジング２とヘッダー部２ｈにそれぞれ取り付けておく。
【００７９】
次に、ヘッダー部２ｈに第２シャッター２１を介装した状態で、複数の第２コンタクト４の一端部４ａをヘッダー部２ｈの取り付け面に圧入する。又、一対の補強タブ６ａ・６ｂの横片６２の先端部をヘッダー部２ｈの両翼に圧入する。
【００８０】
次に、一対のピン６ｐ・６ｐに圧縮コイルばね６ｓを介装した状態で、複数の第２コンタクト４及び一対の補強タブ６ａ・６ｂを第２ハウジング２の底面から圧入して、プラグ２０の組立が完了する。
【００８１】
次に、前記実施形態によるＺＩＦコネクタ１００の動作を説明にする。図６又は図９を参照すると、リセプタクル１０は、第１シャッター１１が第１ハウジング１の内部から第１開口１ｋを閉じている。又、複数の第１コンタクト３は、対向する一対の接点３ｃ・３ｃが互いに開いている。一方、プラグ２０は、第２シャッター２１が第２ハウジング２の内部から第２開口２ｋを閉じている。
【００８２】
図７を参照すると、リセプタクル１０をプラグ２０に向かって挿入すると、第１ハウジング１の一方の面が第２開口２ｋを介して、第２シャッター２１に当接する。又、ヘッダー部２ｈが第１開口１ｋを介して、第１シャッター１１に当接する。
【００８３】
図８を参照すると、リセプタクル１０をプラグ２０に向かって更に挿入すると、一対の圧縮コイルばね６ｓ・６ｓに抗して、第２シャッター２１が第２ハウジング２の底面に向かって移動する。又、一対の圧縮コイルばね７ｓ・７ｓに抗して、第１シャッター１１が第１ハウジング１の底面に向かって移動する。なお、一対のピン７ｐ・７ｐは、第２シャッター２１に設けた一対の穴２１ｈ・２１ｈに挿入される。
【００８４】
図１０を参照すると、リセプタクル１０をプラグ２０に向かって更に挿入すると、やがて、ヘッダー部２ｈに押されて移動する第１シャッター１１は、一対のカムブロック１ａ・１ｂにそれぞれ設けた一対のカム片１ｃ・１ｃに係合する。
【００８５】
次に、図１０から図１１に至る過程では、一対のカム片１ｃ・１ｃが第１シャッター１１に押されて、一対のカムブロック１ａ・１ｂは、軸１１ｓを支点として、一対の対向する接点３ｃ・３ｃが閉じる方向に回動する。
【００８６】
図１１に示されるように、リセプタクル１０をプラグ２０に完全に挿入した状態では、一対の第１コンタクト３・３を互いに閉じて、これらの接点３ｃ・３ｃが第２コンタクト４の一端部４ａに接触している。リセプタクル１０をプラグ２０から抜去すると、一連の動作が逆に進行して、初期の状態に復帰する。
【００８７】
このように、実施形態によるＺＩＦコネクタ１００は、開閉レバーを設けることなく、リセプタクル１０をプラグ２０に容易に（殆ど力を要することなく）挿抜できる。実施形態によるＺＩＦコネクタ１００は、開閉レバーを操作する必要がなくなり、便利である。又、実施形態によるＺＩＦコネクタ１００は、開閉レバーがハウジングの外部に突出していないので、防水を容易にしている。
【００８８】
実施形態によるリセプタクル１０は、第１ハウジング１が第１シャッター１１の外縁に当接して防水する枠状の第１シール部材９１を内部に有しているので、リセプタクル１０を単体で防水できる。又、実施形態によるプラグ２０は、第２ハウジング２が、第２シャッター２１の外縁に当接して防水する枠状の第２シール部材８２と、ヘッダー部２ｈを逃げる第３開口２３ｈの内縁に当接して防水する枠状の第３シール部材８３と、を内部に有しているので、プラグ２０を単体で防水できる。
【００８９】
実施形態によるＺＩＦコネクタ１００は、リセプタクル１０がプラグ２０に嵌合後に一対の第１コンタクト３・３を互いに閉じて、これらの接点３ｃ・３ｃが第２コンタクト４の一端部４ａに接触している。したがって、第１コンタクト３と第２コンタクト４のワイピング距離（摺動距離）が短いので、第１コンタクト３及び第２コンタクト４の寿命を長くすることも可能である。つまり、リセプタクル１０とプラグ２０の挿抜回数を増加することも可能である。
【００９０】
又、実施形態によるリセプタクル１０は、一対の補強タブ７ａ・７ｂに設けた一対のピン７ｐ・７ｐが第１シャッター１１の内部に設けたシールド板１１ａに導通している。一方、実施形態によるプラグ２０は、一対の補強タブ６ａ・６ｂに設けた一対のピン６ｐ・６ｐが第２シャッター２１の内部に設けたシールド板２１ａに導通している。
【００９１】
リセプタクル１０をプラグ２０に挿入すると、第１コンタクト３と第２コンタクト４とが接触する前に、一対のピン７ｐ・７ｐがシールド板２１ａに導通する。したがって、第１ハウジング１又は第２ハウジング２に帯電した静電気を一対の補強タブ７ａ・７ｂ又は一対の補強タブ６ａ・６ｂを介して、他方のプリント基板２ｐ又は一方のプリント基板１ｐに逃がすことができる。つまり、実施形態によるＺＩＦコネクタ１００は、静電気放電（ＥＳＤ：Ｅｌｅｃｔｒｏｓｔａｔｉｃ  ｄｉｓｃｈａｒｇｅ）対策が施されている。
【符号の説明】
【００９２】
１  第１ハウジング
１ａ・１ｂ  一対のカムブロック
１ｃ  カム片
１ｋ  第１開口
２  第２ハウジング
２ｆ  フレーム部
２ｈ  ヘッダー部
２ｋ  第２開口
３  第１コンタクト
３ｃ  接点
４  第２コンタクト
４ａ  一端部
４ｂ  他端部
５  タブコンタクト
６ｓ  圧縮コイルばね（第２付勢部材）
７ｐ・７ｐ  一対のピン
７ｓ  圧縮コイルばね（第１付勢部材）
１０  リセプタクル
１１  第１シャッター
１１ｓ・１１ｓ  一対の軸
２０  プラグ
２１ｈ・２１ｈ  一対の穴
１００  ＺＩＦコネクタ
【図１】
2011134660.tif 000003
【図２】
2011134660.tif 000004
【図３】
2011134660.tif 000005
【図４】
2011134660.tif 000006
【図５】
2011134660.tif 000007
【図６】
2011134660.tif 000008
【図７】
2011134660.tif 000009
【図８】
2011134660.tif 000010
【図９】
2011134660.tif 000011
【図１０】
2011134660.tif 000012
【図１１】
2011134660.tif 000013